(57)【要約】【課題】空間を区画して必要によって開閉可能にするためのシートシャッターに使われるシート材を提供する。【解決手段】シートシャッターに使われるシート材であって、前記シート材が巻き取られるとき、前記シート材の表面損傷を防止するために、前記シート材の一面に突出して上下方向に伸びる少なくとも２つ以上の突出した接触防止部材を含む。【選択図】  図３
2011247080.tif 000002
【特許請求の範囲】
【請求項１】
シートシャッターに使われるシート材において、
前記シート材が巻き取られるとき、前記シート材の表面損傷を防止するために、前記シート材の一面に突出して上下方向に伸びる少なくとも２つ以上の突出した接触防止部材を含むことを特徴とする、シートシャッター用シート材。
【請求項２】
前記接触防止部材は、ボディー部と前記ボディー部の左右両端部に薄く延設された羽部とを含んでなり、前記ボディー部の底面には空間である緩衝部が形成され、前記羽部において前記シート材との熱融着がなされることを特徴とする、請求項１に記載のシートシャッター用シート材。
【請求項３】
前記シート材の下端部には重量物が備えられ、
前記重量物は、前記シート材の下端部を折り曲げることにより形成されるポケットに砂を入れ込んでなることを特徴とする、請求項１に記載のシートシャッター用シート材。
【発明の詳細な説明】
【技術分野】
【０００１】
本発明は空間を区画して必要に応じて開閉可能にするためのシートシャッターに関する。
【背景技術】
【０００２】
工場や倉庫のように品物を内部または外部で搬入あるいは搬出しなければならない場所には随時開閉されるシートシャッターが広く使われている。このようなシートシャッターは通常回転する巻取ドラムにシート材が巻き取られるように構成されるが、頻用することによってシート材の表面には巻取または巻解の際の摩擦に起因するスクラッチのような表面損傷が容易に発生する問題点があった。
【０００３】
そして、公知のシートシャッターは、シートシャッター用シートを巻き取る形態によって２タイプに大別することができる。
【０００４】
すなわち、巻取ドラムがシートシャッターの最上端部に設けられてシート材を巻き上げるタイプの技術があり、他のタイプとしては、巻取ドラムがシートシャッターの下端部に形成され、巻取ドラムがシート材を下部から巻き取りながら上昇するタイプがあった。
【０００５】
一方、一般的なシートシャッターにおいて、シート材の下端部に金属パイプのような重量体を設置しておくことになるが、たまに誤作動または作業者の間違いによって前記重量体が人を打つか物品または運搬車両と衝突する安全事故が発生したりするという問題点があった。
【０００６】
本発明に係わる従来技術としては、特許文献１の「シートシャッター」があり、添付図面の図１は特許文献１のシートシャッターの構成を示す例示図である。
【０００７】
図示のように、出入口に上下に開閉されるシートシャッターが設置され、シート２の一部を透明窓４で構成したことに特徴がある。しかし、このようなシートシャッターの場合、シート２及びこれに連結された透明窓４が巻き取られるか下ろす過程で全面にわたって直接的な接触が発生して、スクラッチや変色のような損傷が容易に誘発されて見掛けが良くなくなるか、あるいは早期に入れ替えなければならない欠点があった。
【先行技術文献】
【特許文献】
【０００８】
【特許文献１】大韓民国登録実用新案第２０−０３２２０３３号明細書
【発明の概要】
【発明が解決しようとする課題】
【０００９】
したがって、本発明はシートシャッターのシート材として耐久性が向上したシートシャッター用シート材を提供することをその目的とする。
【００１０】
さらに、安全に使用可能なシートシャッター用シート材を提供することを他の課題とする。
【課題を解決するための手段】
【００１１】
前記のような課題を達成するために、本発明は、シートシャッターに使われるシート材であって、前記シート材が巻き取られるとき、前記シート材の表面損傷を防止するために、前記シート材の一面に突出して上下方向に伸びる少なくとも２つ以上の突出した接触防止部材を含むことを特徴とする、シートシャッター用シート材を提供する。
【００１２】
好ましくは、前記接触防止部材は、ボディー部と前記ボディー部の左右両端部に薄く延設された羽部とを含んでなり、前記ボディー部の底面には空間を形成する緩衝部が形成され、前記羽部において前記シート材との熱融着がなされることができる。
【００１３】
好ましくは、前記シート材の下端部には重量物が備えられることができ、前記重量物は、前記シート材の下端部を折り曲げることにより形成されるポケットに砂を入れ込んでなることができる。
【発明の効果】
【００１４】
本発明によるシートシャッター用シート材は、前記シート材の一面に接触防止部材が設けられるので、前記シート材の表面間の直接的な接触が防止されて前記シート材の損傷を防止することができるという効果がある。
【００１５】
すなわち、前記シート材の耐久性を高めることができ、シート材の入れ替え周期を延ばすことができるという効果がある。
【００１６】
また、前記シート材の下端部に砂のような重量物を設けることで、シート材の下端部が人または物品などにぶつかっても被害が最小化するようにするという効果がある。
【図面の簡単な説明】
【００１７】
【図１】従来技術によるシートシャッターの構成を示す例示図である。
【図２】本発明の好適な一実施例によるシート材の概略斜視図である。
【図３】要部の断面図である。
【発明を実施するための形態】
【００１８】
以下、添付図面に基づき、本発明が属する技術分野で通常の知識を持った者が容易に実施することができるように本発明の実施例を詳細に説明する。しかし、本発明はさまざまな相異なる形態に具現可能であり、ここで説明する実施例に限定されない。そして、図面において本発明を明確に説明するために、本発明と関係ない部分は省略し明細書全般にわたって類似の部分には類似の図面符号を付ける。
【００１９】
明細書全般にわたり、ある構成要素を「含む」というとき、これは特別の指示がない限り他の構成要素を除くのではなく他の構成要素をさらに含むことができることを意味する。
【００２０】
シートシャッターの基本的な構成は公知のものと同様に、それについての具体的な説明は省略する。通常のシートシャッターの構成品であるシート材であって、本発明においては、前記シート材の一面に突出して上下方向に伸びる少なくとも２つ以上の接触防止部材が備えられることを主な特徴とする。
【００２１】
図２は本発明の好適な一実施例によるシート材の概略斜視図、図３は要部の断面図を示す。
【００２２】
前記シート材１００は公知の種々の合成樹脂材のようなものを用いることができ、一例としてＰＶＣ放水布（ｔａｒｐａｕｌｉｎ）で製作されることができる。前記シート材１００はシートシャッターの構成要素になって随時開閉動作する関係で、シート材の表面は巻き取られるか解ける動作中に摩擦による損傷を被ることになる。
【００２３】
図示のように、本発明の好適な実施例によれば、シート材１００の左右両端付近で突出して上下方向に伸びる接触防止部材２００を１つずつ備える。前記接触防止部材２００はシート材１００のサイズなどを考慮して３つ以上を備えることができ、好ましくはＰＶＣ発泡方式で製作される接触防止部材２００を活用することができる。そして、前記シート材１００に結合される接触防止部材２００は熱融着方式で付着され、その方式としては高周波熱融着方式が用いられることができる。
【００２４】
また、シート材１００の一面に備えられる接触防止部材２００はその両端部でシート材１００と熱融着されて付着され、より具体的には次のような形態の接触防止部材を用いることができる。
【００２５】
前記接触防止部材２００の好ましい形態としては、図示のように、ボディー部２１０、羽部２２０、及び緩衝部２３０を含むもので、前記ボディー部２１０の左右両端部に相対的に厚さの薄い羽部２２０が延設されている。前記羽部２２０においてシート材１００との熱融着がなされ、ボディー部２１０の上面部が他の部位のシート材１００と接触する。そして、前記ボディー部２１０の底面には陥没した空間が形成され、この部分を緩衝部２３０ということとする。
【００２６】
前記緩衝部２３０によってシート材１００とボディー部２１０との間に離隔空間が形成され、これにより材料の浪費を防ぎ、ボディー部２１０に一層よいクッション機能を提供することができることになる。
【００２７】
そして、シート材１００の下端部に重量物３００が備えられることができ、前記重量物３００は公知の金属材のものも可能であるが、より好ましくは安全性などを考慮して砂を重量物として使用する。このために、前記シート材１００の下端部を折り曲げることで砂を収容することができる空間部であるポケット１１０を形成することが好ましい。ポケット１１０に収容される砂は人にぶつかるか物品にぶつかっても大きなけがを及ぼさず、容易に元の状態に復元するという利点がある。
【００２８】
前述したような本発明のシートシャッター用シート材は、接触防止部材によって、シート材が巻き取られるか解けるとき、シート材間の直接的な接触が防止されるのでスクラッチのような損傷を画期的に減らすことができることになる。
【００２９】
前述した本発明の説明は単に例示のためのもので、本発明が属する技術分野の通常の知識を持った者であれば本発明の技術的思想または必須な特徴を変更しなくても他の具体的な形態に容易に変形することができるというのを理解することが可能であろう。
【００３０】
したがって、以上で説明した実施例はいずれの面においても例示的なものであるだけでなく、限定的意味ではないことを理解しなければならない。例えば、単一型として説明した各構成要素は分離型に実施されることもでき、一方、分離型に説明した構成要素も結合型に実施可能である。
【００３１】
本発明の範囲は前記詳細な説明よりは後述する特許請求範囲によって決まり、特許請求範囲の意味及び範囲、かつその同等な概念から導出されるすべての変更または変形の形態が本発明の範囲に属するものとして解釈されなければならない。
【産業上の利用可能性】
【００３２】
本発明によるシートシャッター用シート材は、シートシャッターの製作において新しいシート材として広く使われることができるので、産業的利用可能性が高いと言える。
【符号の説明】
【００３３】
１００    シート材
１１０    ポケット
２００    接触防止部材
２１０    ボディー部
２２０    羽部
２３０    緩衝部
３００    重量物
【図１】
2011247080.tif 000003
【図２】
2011247080.tif 000004
【図３】
2011247080.tif 000005